(57)【特許請求の範囲】
【請求項１】
チャネル品質インジケータ（ＣＱＩ）フィードバック期間を調整する方法であって、
基地局が、ＣＱＩ構成情報を含む無線リソース制御（ＲＲＣ）シグナリングを送信するステップであって、前記ＣＱＩ構成情報は、ＣＱＩフィードバックを報告するための周期を示す第１の期間を含む、ステップと、
前記基地局が、前記第１の期間に従って、無線送受信ユニット（ＷＴＲＵ）が送信したＣＱＩ情報を受信するステップと、
前記基地局が、物理レイヤ下り回線制御チャネルを介して、ＣＱＩフィードバックを報告するための前記周期を変更するＣＱＩコマンド、および、該ＷＴＲＵに関連付けられたＷＴＲＵ識別でマスクされた巡回冗長検査（ＣＲＣ）を含む情報を送信するステップと、
前記基地局が、受信された前記ＲＲＣシグナリングに含まれる前記ＣＱＩ構成情報に含まれる前記第１の期間で示された周期の代わりに、前記物理レイヤ下り回線制御チャネルを介して送信された前記ＣＱＩコマンドに応じた前記変更された周期に従って、前記ＷＴＲＵにより送信されたＣＱＩ情報を受信するステップと
を備えることを特徴とする方法。
【請求項２】
前記物理レイヤ下り回線制御チャネルを介して送信された前記ＣＱＩコマンドを示す情報は、前記ＣＱＩコマンドを示す単一ビットを含むことを特徴とする請求項１に記載の方法。
【請求項３】
基地局であって、
チャネル品質インジケータ（ＣＱＩ）構成情報を含む無線リソース制御（ＲＲＣ）シグナリングを送信するように構成された少なくとも１つのコンポーネントを備え、前記ＣＱＩ構成情報は、ＣＱＩフィードバックを報告するための周期を示す第１の期間を含み、
前記少なくとも１つのコンポーネントは、前記第１の期間に従って、無線送受信ユニット（ＷＴＲＵ）が送信したＣＱＩ情報を受信するようにさらに構成され、
前記少なくとも１つのコンポーネントは、物理レイヤ下り回線制御チャネルを介して、ＣＱＩフィードバックを報告するための前記周期を変更するＣＱＩコマンド、および、該ＷＴＲＵに関連付けられたＷＴＲＵ識別でマスクされた巡回冗長検査（ＣＲＣ）を含む情報を送信するようにさらに構成され、
前記少なくとも１つのコンポーネントは、受信された前記ＲＲＣシグナリングに含まれる前記ＣＱＩ構成情報に含まれる前記第１の期間で示された周期の代わりに、前記物理レイヤ下り回線制御チャネルを介して送信された前記ＣＱＩコマンドに応じた前記変更された周期に従って、前記ＷＴＲＵにより送信されたＣＱＩ情報を受信するようにさらに構成されたことを特徴とする基地局。
【請求項４】
前記物理レイヤ下り回線制御チャネルを介して送信された前記ＣＱＩコマンドを示す情報は、前記ＣＱＩコマンドを示す単一ビットを含むことを特徴とする請求項３に記載の基地局。
【発明の詳細な説明】
【技術分野】
【０００１】
本発明は無線通信システムに関する。本発明はより詳細には、チャネル品質インジケータ（Channel Quality Indicator：ＣＱＩ）フィードバック期間を調整して、無線通信システムにおいて上り回線容量を増加させる方法および装置に関する。
【背景技術】
【０００２】
統合無線通信システム（Universal Mobile Telecommunication Service：ＵＭＴＳ）地上無線アクセス（UMTS Terrestrial Radio Access：ＵＴＲＡ）などの無線通信システムにおいては、無線送受信ユニット（Wireless Transmit/Receive Unit：ＷＴＲＵ）がチャネル品質インジケータ（Channel Quality Indicator：ＣＱＩ）を基地局に送る。ＣＱＩは、適応型変調および符号化（Adaptive Modulation and Coding：ＡＭＣ）、チャネル感知スケジューリング（channel sensitive scheduling）や、同様のものに対して使用される。基地局は、報告されたＣＱＩに基づき、ＷＴＲＵに関する最適な変調方式および符号化速度を判定する。基地局はまた、どのＷＴＲＵが送信を許容されるべきであるかを判定するときに、報告されたＣＱＩを使用する。
【０００３】
ＣＱＩの生成および送信の頻度は、無線ネットワーク制御装置（Radio Network Controller：ＲＮＣ）により特定されたパラメータによって制御される。そのパラメータは、呼設定または再構成にて無線リソース制御（Radio Resource Control：ＲＲＣ）シグナリングを通してＷＴＲＵに与えられる。
【発明の概要】
【発明が解決しようとする課題】
【０００４】
ＷＴＲＵによるＣＱＩの送信は、下り回線上の容量を最適化するために有益であるが、上り回線上に干渉を発生させる。この干渉は、ＣＱＩを送信する必要があるＷＴＲＵの数が多い場合に、無線通信システムの上り回線容量を減少させることがある。その上、あるＷＴＲＵによるＣＱＩの送信が不必要である場合がよくある。そのような状況は、ＷＴＲＵがアプリケーション・レベルで非アクティブ期間であるために、下り回線に保留中の送信を何もないときに、発生する。
【０００５】
非アクティブのＷＴＲＵからのＣＱＩの送信により生起される干渉は、ＣＱＩがそれらのＷＴＲＵによってより少ない頻度にて発生するように、ＣＱＩパラメータを更新することによって削減できる。しかしながら、ＣＱＩパラメータの更新はＲＲＣシグナリングを通して実行され、このシグナリングは遅いため、この方法は実際にはうまくいかない。ＣＱＩパラメータ更新情報がＷＴＲＵに伝達されるときまでに、ＷＴＲＵのユーザが活動を再開することが可能であり、新しい更新情報が送られてＣＱＩ発生が元の頻度を回復するまで、性能に悪影響が生じる。
【０００６】
加えて、ある状況においては、一時的により多くの容量が必要となる場合に（例えば、１人のユーザが、画像などのアップロードする多量のデータを有する場合）、限定された時間期間の間に、上り回線上の利用可能な容量を増加させるために、ＣＱＩ送信からの干渉を削減することが望ましい。
【０００７】
したがって、上り回線容量を増加させるように、より迅速にかつ効率的にＣＱＩフィードバック期間を調整する方法を提供することが望ましい。
【課題を解決するための手段】
【０００８】
本発明は、無線通信システムにおいて上り回線容量を増加させるためにＣＱＩフィードバック期間を調整するための方法および装置に関する。上り回線容量は、ＣＱＩ送信により生起される上り回線干渉を削減することによって増加する。本発明の第１の実施形態によると、ＷＴＲＵは、自ＷＴＲＵへの下り回線送信の状態を監視し、かつそのＷＴＲＵへの下り回線送信の状態に基づきＣＱＩフィードバック期間を設定する。本発明の第２の実施形態によると、基地局は、上り回線および下り回線の送信の必要性を監視する。基地局は、その上り回線送信の必要性および下り回線送信の必要性に基づき、少なくとも１つのＷＴＲＵのＣＱＩフィードバック期間を判定し、そしてＷＴＲＵにコマンドを送りＷＴＲＵのＣＱＩフィードバック期間を変更する。
【図面の簡単な説明】
【０００９】
【図１】本発明の第１の実施形態による、ＣＱＩフィードバック期間を調整するための処理のフロー図である。
【図２】本発明の第２の実施形態による、ＣＱＩフィードバック期間を調整するための処理のフロー図である。
【図３】図１の処理を実施するＷＴＲＵのブロック図である。
【図４】図２の処理を実施する基地局のブロック図である。
【発明を実施するための形態】
【００１０】
以下で言及する場合に、用語「ＷＴＲＵ」には、限定するものではないが、ユーザ機器、移動端末（STAtion：ＳＴＡ）、固定型または移動体の加入者ユニット、ページャ、または無線の環境において動作可能な他の任意のタイプの装置が含まれる。以下で言及する場合に、用語「基地局」には、限定するものではないが、ノードＢ、サイト制御装置、アクセス・ポイント（Access Point：ＡＰ）、または無線の環境における他の任意の型のインタフェース装置もが含まれる。
【００１１】
本発明の特徴は、集積回路（Integrated Circuit：ＩＣ）に組み込むこと、または相互接続された多数の部品を備える回路において、構成することができる。
【００１２】
図１は、本発明の第１の実施形態による、ＣＱＩフィードバック期間を調整するための処理１００のフロー図である。第１の実施形態によると、ＷＴＲＵは、下り回線送信状況に基づいて、ＣＱＩフィードバック期間を自律的に調整する。ＷＴＲＵは当初は通常のＣＱＩフィードバック期間により構成設定され、ＷＴＲＵはＣＱＩフィードバック期間毎に上り回線チャネルを介してＣＱＩを基地局に報告する。
【００１３】
ＷＴＲＵは、自ＷＴＲＵへの下り回線送信の状態を監視する（ステップ１０２）。下り回線送信状態を監視する際に、ＷＴＲＵはそのＷＴＲＵに対する送信を含まない連続した送信時間間隔（Transmission Time Interval：ＴＴＩ）の数をカウントするカウンタを保持することができる。例えば、高速下り回線パケット・アクセス（High Speed Downlink Packet Access：ＨＳＤＰＡ）においては、ＷＴＲＵに対する送信を含まないＴＴＩの数は、高速共有制御チャネル（High Speed Shared Control CHannel：ＨＳ−ＳＣＣＨ）における下り回線送信の有効な巡回冗長検査（Cyclic Redundancy Check：ＣＲＣ）を検出することによって判定することができる。ＷＴＲＵへの有効な下り回線送信が検出されたとき（例えばＨＳＤＰＡにおいては、有効なＣＲＣがＨＳ−ＳＣＣＨ上で検出される）に、カウンタがリセットされる。
【００１４】
ＷＴＲＵは次に、下り回線送信の状態に基づいてＣＱＩフィードバック期間を調整する（ステップ１０４）。区分関数（piece-wise function）またはルック・アップ・テーブル（Look-Up Table：ＬＵＴ）をカウンタ値に基づいて新しいＣＱＩフィードバック期間を選択するために使用することができ、その結果、カウンタ値が増加するに従ってＣＱＩフィードバック期間が増加し、そしてカウンタ値が減少するに従ってＣＱＩフィードバック期間が減少する。ＣＱＩフィードバック期間にカウンタ値をマッピングするための代表的なマッピング方式を表１に示す。表１に示すように、増加するＣＱＩフィードバック期間は通常のＣＱＩフィードバック期間の倍数であることができる。基地局は、ＷＴＲＵにおけるＣＱＩフィードバック期間の設定に関わらず、通常のＣＱＩフィードバック期間毎に、ＷＴＲＵからのＣＱＩを監視し、検出することができる。この方式により、ＷＴＲＵおよび基地局においてＣＱＩフィードバック期間の設定が矛盾することに因るＣＱＩの見落としを回避可能である。表１のパラメータは、呼設定にて実行される上位層のシグナリングを介して構成設定可能であることが望ましい。
【００１５】
【表１】
0005897801.tif 000002
【００１６】
あるいはまたＷＴＲＵが、ＲＲＣシグナリングを介して複数のＣＱＩフィードバック期間（例えば、２のＣＱＩフィードバック期間、すなわち、１つのアクティブなＣＱＩフィードバック期間と１つの非アクティブなＣＱＩフィードバック期間）を与えられることができ、そしてカウンタ値（すなわち、ＷＴＲＵに対して送信がないＴＴＩの数）に従って、ＣＱＩフィードバック期間の間で切り換えることができる。例えば、カウンタ値が閾値未満の場合には、アクティブなＣＱＩフィードバック期間が選択され、カウンタ値が閾値以上の場合には、非アクティブなＣＱＩフィードバック期間が選択される。
【００１７】
ＷＴＲＵが下り回線送信の状態に基づいてＣＱＩフィードバック期間を調整した後に、処理１００は、ステップ１０２に戻り、さらに下り回線送信状態を監視する。
【００１８】
図２は、本発明の第２の実施形態によるＣＱＩフィードバック期間を調整する処理２００のフロー図である。第２の実施形態によると、基地局がコマンドを送り、上り回線送信の必要性および下り回線送信の必要性に基づいて、ＷＴＲＵのＣＱＩフィードバック期間を増加または減少させる。基地局は、上り回線送信の必要性が増加する場合には、ＣＱＩフィードバック期間を増加させる（ＣＱＩフィードバックがより頻繁でなくなることを意味する）。一方で、下り回線送信の必要性は、頻度の低いＣＱＩフィードバックで依然としてサポートされ得る。頻繁なＣＱＩフィードバックが下り回線性能に対して有効であるときは、基地局は、短期間ベースで上り回線容量を下り回線容量と取り替える。
【００１９】
基地局は、上り回線送信の必要性および下り回線送信の必要性を監視する（ステップ２０２）。上り回線および下り回線の送信の必要性は、それぞれ、各ＷＴＲＵにおいて上り回線送信用にバッファされたデータの量、および、基地局において各ＷＴＲＵに向けの下り回線送信用にバッファされたデータの量に基づいて判定される。上り回線送信用にＷＴＲＵにおいてバッファされたデータの量は、ＷＴＲＵによって示される。例えば、ＵＴＲＡリリース６にある、スケジューリング要求、ハッピー・ビット、またはトラフィック量測定値により、そのような指示を与えることができる。
【００２０】
あるいはまた、基地局は、各ＷＴＲＵのその時点でのバッファ中のデータを送信するために必要な時間、および、各ＷＴＲＵに関して基地局においてバッファされたデータを送信するために必要な時間を、各ＷＴＲＵへの、または各ＷＴＲＵからの下り回線および上り回線の平均スループットに基づいて、推定することができる。
【００２１】
基地局は、上り回線送信の必要性および下り回線送信の必要性に基づいて、少なくとも１つのＷＴＲＵのＣＱＩフィードバック期間を変更することが望ましいか否かを判定する（ステップ２０４）。基地局は、上り回線送信の必要性が高く、下り回線送信の必要性が低い場合に、ＣＱＩフィードバック期間を増加させることができ、かつ、上り回線送信の必要性が低く、下り回線送信の必要性が高い場合に、ＣＱＩフィードバック期間を減少させる（または元のＣＱＩフィードバック期間に復帰する）ことができる。
【００２２】
例えば、少なくとも１つのＷＴＲＵに関して、そのＷＴＲＵのバッファ中のデータを送信するために必要な推定時間が、所定の閾値を超過している（すなわち、上り回線送信の必要性が高い）場合には、ＣＱＩフィードバック期間を増加させることによってＣＱＩ送信により生起される干渉を削減することが望ましい。したがって、基地局は、下り回線送信の一部または全てがＣＱＩフィードバックをより低い頻度でできるかを判定する。これを判定するために基地局は、下り回線における基地局のバッファ中のデータを送信するために必要な推定時間が所定の閾値内であるかを判定することができる。下り回線送信の一部または全てがＣＱＩフィードバックをより低い頻度でできる（例えば、基地局のバッファ中のデータを送信するために必要な推定時間が所定の閾値内である）と判定された場合には、基地局は、ＣＱＩフィードバック期間を増加させることを決定する。
【００２３】
ステップ２０４にてＣＱＩフィードバック期間を変更することが望ましくないと判定された場合には、処理はステップ２０２に戻り、さらに上り回線および下り回線送信の必要性を監視する。ステップ２０４にてＣＱＩフィードバック期間を変更することが望ましいと判定されたなら、基地局は次に、少なくとも１つのＷＴＲＵに対してコマンドを送り、そのＷＴＲＵのＣＱＩフィードバックの期間を変更する（ステップ２０６）。コマンドを送った後に、処理２００はステップ２０２に戻り、上り回線および下り回線送信の必要性を監視する。
【００２４】
基地局がその後、ＷＴＲＵの一部または全てに関して、元のＣＱＩフィードバック期間に復帰させることが望ましいと判定した場合には（すなわち、基地局が、下り回線における基地局のバッファ中のデータを送信するために必要な推定時間が所定の閾値を超過すると判定した場合、または、基地局が、上り回線における各ＷＴＲＵのバッファ中のデータを送信するために必要な推定時間が所定の閾値未満であると判定した場合）、基地局は、ＷＴＲＵの一部または全てにコマンドを送り、それらのＣＱＩ送信を元のＣＱＩフィードバック期間に復帰させる。
【００２５】
基地局によって判定が為されると、関係するＷＴＲＵまたは全てのＷＴＲＵ対してコマンドが速やかに（例えば、数十ミリ秒内に）送信されなければならない。コマンドは、適切な任意の手段により送信することができる。例えば、ＵＴＲＡリリース６においては、コマンドはＨＳ−ＳＣＣＨを介して送ることができる。ＨＳ−ＳＣＣＨは、２ｍｓの各ＴＴＩの間に、次のＴＴＩにおいて任意のデータがＷＴＲＵに送信されることになるかを各ＷＴＲＵが判定するために必要となる情報を含む。ＨＳ−ＳＣＣＨは、ＷＴＲＵに関してチャネル化符号セット・コンビネーションを示すためのビットを含む。チャネル化符号セット・コンビネーションに関しては、現在８つの未使用ビット・コンビネーションがある。ＣＱＩフィードバック期間を変更するためにコマンドを送る目的に対して、８つの未使用ビット・コンビネーションの１つを使用することができる。例えば、ＣＱＩフィードバック期間の増加を信号で送るために未使用ビット・コンビネーションの１つを使用し、そして元のＣＱＩフィードバック期間の復帰を信号で送るために別の１つを使用することができる。
【００２６】
基地局からのコマンドに応じたＣＱＩフィードバック期間の変更の量は予め定められる（例えば、２倍に）。ＣＱＩフィードバック期間を２倍に増加することは、元の構成により通常送信されていた１つおきのＣＱＩが今度は送信されないことを意味する。あるいはまた、コマンドに応じたＣＱＩフィードバック期間の変更の量は、呼設定または再構成の際に信号送出される。例えば、２セットのＣＱＩフィードバック期間をＷＴＲＵに与えて、コマンドに応じて切り換えることができる。
【００２７】
ＨＳ−ＳＣＣＨにおいて特定のＴＴＩ中に含まれる情報は、通常、特定の１つのＷＴＲＵによって使用されるのみであり、それは、ＷＴＲＵに特有な信号系列（ＷＴＲＵの識別子（IDentity：ＩＤ））でＣＲＣフィールドをビット・マスクすることにより特定される。短い時間内に上り回線における大幅な干渉削減を提供するために、所与のＨＳ−ＳＣＣＨを監視する全てのＷＴＲＵが同時にＣＱＩフィードバック期間の変更を命令されることが望ましい。したがって、ＨＳ−ＳＣＣＨを介してコマンドを送信するために、全てのＷＴＲＵに関して特別なＷＴＲＵのＩＤが使用される場合がある。
【００２８】
図３は、図１の処理１００を実施するＷＴＲＵ３００のブロック図である。ＷＴＲＵ３００は、下り回線状態監視部３０２、ＣＱＩフィードバック制御部３０４、およびＬＵＴ３０６（オプション）を含む。下り回線状態監視部３０２は、ＷＴＲＵへの下り回線送信の状態を監視する。下り回線状態監視部３０２は、ＷＴＲＵへの送信を含まない連続したＴＴＩの数をカウントするためのカウンタ３０８を含むことができる。ＣＱＩフィードバック制御部３０４は、上で述べられたＷＴＲＵへの下り回線送信の状態に基づいて、ＣＱＩフィードバック期間を設定する。
【００２９】
図４は、図２の処理２００を実施する基地局４００のブロック図である。基地局４００は、監視部４０２およびＣＱＩフィードバック制御部４０４を含む。監視部４０２は、上り回線送信の必要性および下り回線送信の必要性を監視する。ＣＱＩフィードバック制御部４０４は、上り回線送信の必要性および下り回線送信の必要性に基づいて、少なくとも１つのＷＴＲＵのＣＱＩフィードバック期間を決定し、そして少なくとも１つのＷＴＲＵにコマンドを送り、ＣＱＩフィードバック期間を変更する。
【００３０】
＜＜実施形態＞＞
１．複数のＷＴＲＵと基地局とを含む無線通信システムにおいて、ＣＱＩフィードバック期間を調整して上り回線容量を増加させる方法であって、ＷＴＲＵが基地局にＣＱＩフィードバック期間毎にＣＱＩを報告する方法。
【００３１】
２．ＷＴＲＵが、そのＷＴＲＵへの下り回線送信の状態を監視するステップを備える実施形態１に記載の方法。
【００３２】
３．ＷＴＲＵが、そのＷＴＲＵへの下り回線送信の状態に基づいてＣＱＩフィードバック期間を設定するステップを備える実施形態２に記載の方法。
【００３３】
４．下り回線送信の状態は、ＷＴＲＵへの送信を有さない連続したＴＴＩの数をカウントすることによって監視される実施形態２または３に記載の方法。
【００３４】
５．ＣＱＩフィードバック期間が、ＷＴＲＵへの送信を有さない連続したＴＴＩの数に基づいて設定される実施形態４に記載の方法。
【００３５】
６．ＣＱＩフィードバック期間が、ＬＵＴを使用して下り回線送信の状態を複数のＣＱＩフィードバック期間の１つにマッピングすることで設定される実施形態２〜５のいずれかに記載の方法。
【００３６】
７．ＬＵＴは、上位層のシグナリングにより構成設定可能である実施形態６に記載の方法。
【００３７】
８．ＣＱＩフィードバック期間は、通常のＣＱＩフィードバック期間の倍数である実施形態３〜７のいずれかに記載の方法。
【００３８】
９．基地局が、通常のＣＱＩフィードバック期間毎にＷＴＲＵからのＣＱＩフィードバックを監視する実施形態８に記載の方法。
【００３９】
１０．ＣＱＩフィードバック期間は、区分関数を使用して下り回線送信の状態を複数のＣＱＩフィードバック期間の１つにマッピングすることで設定される実施形態２〜５のいずれかに記載の方法。
【００４０】
１１．ＷＴＲＵが、アクティブなＣＱＩフィードバック期間および非アクティブなＣＱＩフィードバック期間を与えられ、ＷＴＲＵへの送信を有さない連続したＴＴＩの数が閾値を超過した場合には、アクティブなＣＱＩフィードバック期間が選択されて、そうでなければ非アクティブなＣＱＩフィードバック期間が選択される実施形態２〜５のいずれかに記載の方法。
【００４１】
１２．基地局が、上り回線および下り回線の送信の必要性を監視するステップを備える実施形態１に記載の方法。
【００４２】
１３．基地局が、上り回線および下り回線の送信の必要性に基づいて少なくとも１つのＷＴＲＵのＣＱＩフィードバック期間を変更することが望ましいかを判定するステップを備える実施形態１２に記載の方法。
【００４３】
１４．ＣＱＩフィードバック期間を変更することが望ましいと判定された場合には、基地局がＷＴＲＵにコマンドを送り、ＷＴＲＵのＣＱＩフィードバック期間を変更するステップを備える実施形態１３に記載の方法。
【００４４】
１５．上り回線送信の必要性が第１の閾値を超過し、かつ、下り回線送信の必要性が第２の閾値内である場合に、基地局がコマンドを送ってＷＴＲＵのＣＱＩフィードバック期間を増加させる実施形態１４に記載の方法。
【００４５】
１６．上り回線送信の必要性が第１の閾値内であるか、または、下り回線送信の必要性が第２の閾値を超過しているかのいずれかの場合には、基地局がコマンドを送ってＣＱＩフィードバック期間を減少させる実施形態１４に記載の方法。
【００４６】
１７．上り回線送信の必要性は、各ＷＴＲＵにおいてバッファされた上り回線送信用のデータの量に基づき判定される実施形態１５〜１６のいずれか記載の方法。
【００４７】
１８．下り回線送信の必要性は、各ＷＴＲＵへの下り回線送信用に基地局にてバッファされたデータの量に基づき判定される実施形態１５〜１７のいずれかに記載の方法。
【００４８】
１９．上り回線送信の必要性は、各ＷＴＲＵにおいてバッファされたデータを送信するために必要な時間に基づき判定される実施形態１５〜１６のいずれかに記載の方法。
【００４９】
２０．下り回線送信の必要性は、各ＷＴＲＵ用に基地局にてバッファされたデータを送信するために必要な時間に基づき判定される実施形態１５〜１６のいずれかに記載の方法。
【００５０】
２１．ＷＴＲＵにおいてバッファされたデータの量は、ＷＴＲＵによって報告される実施形態１７〜２０のいずれかに記載の方法。
【００５１】
２２．ＷＴＲＵにおいてバッファされたデータの量は、ＷＴＲＵによって送られるスケジューリング要求により示される実施形態２１に記載の方法。
【００５２】
２３．ＷＴＲＵにおいてバッファされたデータの量は、ＷＴＲＵによって送られるハッピー・ビットにより示される実施形態２１に記載の方法。
【００５３】
２４．ＷＴＲＵにおいてバッファされたデータの量は、トラフィック量測定値により示される実施形態２１に記載の方法。
【００５４】
２５．基地局が、全てのＷＴＲＵにコマンドをブロードキャストする実施形態１４〜２４のいずれかに記載の方法。
【００５５】
２６．基地局が、関係するＷＴＲＵのみにコマンドを送る実施形態１４〜２４のいずれかに記載の方法。
【００５６】
２７．下り回線送信が、ＨＳＤＰＡを介して送信される実施形態１２〜２６のいずれかに記載の方法。
【００５７】
２８．コマンドが、ＨＳ−ＳＣＣＨを介して送信される実施形態２７に記載の方法。
【００５８】
２９．コマンドが、未使用のチャネル化符号セット・コンビネーションを使用することによって送信される実施形態２８に記載の方法。
【００５９】
３０．コマンドが、全てのＷＴＲＵに関して特別なＷＴＲＵ  ＩＤを使用して送信される実施形態２８〜２９のいずれかに記載の方法。
【００６０】
３１．コマンドに応じるＣＱＩフィードバック期間の変更の量が、予め定められており、ＷＴＲＵに信号送出され、それによりＷＴＲＵが、予め定められた変更の量に基づきＣＱＩフィードバック期間を変更する実施形態１４〜３０のいずれかに記載の方法。
【００６１】
３２．複数のＣＱＩフィードバック期間が、ＷＴＲＵに予め与えられ、かつコマンドに従って、ＣＱＩフィードバック期間の１つが選択される実施形態１４〜３１のいずれかに記載の方法。
【００６２】
３３．ＣＱＩフィードバック期間が、通常のＣＱＩフィードバック期間の倍数として決定される実施形態３１〜３２のいずれかに記載の方法。
【００６３】
３４．基地局が、通常のＣＱＩフィードバック期間毎にＷＴＲＵからのＣＱＩフィードバックを監視する、実施形態３３に記載の方法。
【００６４】
３５．複数のＷＴＲＵと基地局とを含む無線通信システムにおいて、ＣＱＩフィードバック期間を調整して上り回線容量を増加させるＷＴＲＵであって、ＣＱＩフィードバック期間毎に上り回線チャネルを介してＣＱＩを基地局に報告するＷＴＲＵ。
【００６５】
３６．ＷＴＲＵへの下り回線送信の状態を監視する下り回線状態監視部を備える実施形態３５に記載のＷＴＲＵ。
【００６６】
３７．ＷＴＲＵへの下り回線送信の前記状態に基づきＣＱＩフィードバック期間を設定するＣＱＩフィードバック制御部を備える実施形態３６に記載のＷＴＲＵ。
【００６７】
３８．下り回線状態監視部が、ＷＴＲＵへの送信を有さない連続したＴＴＩの数をカウントするカウンタを含み、カウンタ値に基づきＣＱＩフィードバック制御部がＣＱＩフィードバック期間を決定する実施形態３６〜３７のいずれかに記載のＷＴＲＵ。
【００６８】
３９．カウンタ値を複数のＣＱＩフィードバック期間の１つにマッピングするためのＬＵＴをさらに備え、ＣＱＩフィードバック制御部が、ＬＵＴを使用することによってＣＱＩフィードバック期間を設定する実施形態３６〜３８のいずれかに記載のＷＴＲＵ。
【００６９】
４０．ＬＵＴが、上位層のシグナリングにより構成設定可能である実施形態３９に記載のＷＴＲＵ。
【００７０】
４１．ＣＱＩフィードバック期間が、通常のＣＱＩフィードバック期間の倍数として決定される実施形態３６〜４０のいずれかに記載のＷＴＲＵ。
【００７１】
４２．ＣＱＩフィードバック制御部が、区分関数を使用することによってＣＱＩフィードバック期間を決定する実施形態３７〜３８のいずれかに記載のＷＴＲＵ。
【００７２】
４３．ＷＴＲＵが、アクティブなＣＱＩフィードバック期間および非アクティブなＣＱＩフィードバック期間を与えられ、ＷＴＲＵへの送信を有さない連続したＴＴＩの数が閾値を超過した場合には、アクティブなＣＱＩフィードバック期間が選択され、そうでない場合には、非アクティブなＣＱＩフィードバック期間が選択される実施形態３６〜３８のいずれかに記載のＷＴＲＵ。
【００７３】
４４．複数のＷＴＲＵと基地局とを含む無線通信システムにおいて、ＣＱＩフィードバック期間を調整して上り回線容量を増加させる基地局。ＷＴＲＵはＣＱＩフィードバック期間毎に上り回線チャネルを介してＣＱＩを基地局に報告する。
【００７４】
４５．上り回線および下り回線の送信の必要性を監視するための監視部を備える実施形態４４に記載の基地局。
【００７５】
４６．上り回線および下り回線の送信の必要性に基づき少なくとも１つのＷＴＲＵの前記ＣＱＩフィードバック期間を変更することが望ましいかを判定し、ＷＴＲＵにコマンドを送ってＷＴＲＵのＣＱＩフィードバック期間を変更するためのＣＱＩフィードバック制御部を備える実施形態４５に記載の基地局。
【００７６】
４７．上り回線送信の必要性が第１の閾値を超過し、かつ下り回線送信の必要性が第２の閾値内である場合に、ＣＱＩフィードバック制御部がコマンドを送りＷＴＲＵのＣＱＩフィードバック期間を増加させる実施形態４６に記載の基地局。
【００７７】
４８．上り回線送信の必要性が第１の閾値内にあるか、または下り回線送信の必要性が第２の閾値を超過しているかのいずれかの場合に、ＣＱＩフィードバック制御部が、コマンドを送りＣＱＩフィードバック期間を減少させる実施形態４６に記載の基地局。
【００７８】
４９．監視部が、上り回線送信用に各ＷＴＲＵにおいてバッファされたデータの量に基づき上り回線送信の必要性を監視する実施形態４５〜４８のいずれかに記載の基地局。
【００７９】
５０．監視部が、各ＷＴＲＵへの下り回線送信用に基地局にてバッファされたデータの量に基づき下り回線送信の必要性を監視する実施形態４５〜４８のいずれかに記載の基地局。
【００８０】
５１．監視部が、各ＷＴＲＵにおいてバッファされたデータを送信するために必要な時間に基づき上り回線送信の必要性を監視する実施形態４５〜４８のいずれかに記載の基地局。
【００８１】
５２．監視部が、各ＷＴＲＵ用に基地局にてバッファされたデータを送信するために必要な時間に基づき下り回線送信の必要性を監視する実施形態４５〜４８のいずれかに記載の基地局。
【００８２】
５３．ＷＴＲＵにおいてバッファされたデータの量が、ＷＴＲＵによって報告される実施形態４９に記載の基地局。
【００８３】
５４．ＷＴＲＵにおいてバッファされたデータの量が、ＷＴＲＵによって送られるスケジューリング要求により示される実施形態５３に記載の基地局。
【００８４】
５５．ＷＴＲＵにおいてバッファされたデータの量が、ＷＴＲＵによって送られるハッピー・ビットにより示される実施形態５３に記載の基地局。
【００８５】
５６．ＷＴＲＵにおいてバッファされたデータの量が、トラフィック量測定値により示される実施形態５３に記載の基地局。
【００８６】
５７．ＣＱＩフィードバック制御部が、全てのＷＴＲＵにコマンドをブロードキャストする実施形態４６〜５６のいずれかに記載の基地局。
【００８７】
５８．ＣＱＩフィードバック制御部が、関係するＷＴＲＵのみにコマンドを送る実施形態４６〜５６のいずれかに記載の基地局。
【００８８】
５９．下り回線送信が、ＨＳＤＰＡを介して送信される実施形態４４〜５８のいずれかに記載の基地局。
【００８９】
６０．ＣＱＩフィードバック制御部が、ＨＳ−ＳＣＣＨを介してコマンドを送る実施形態５９に記載の基地局。
【００９０】
６１．ＣＱＩフィードバック制御部が、未使用のチャネル化符号セット・コンビネーションを使用してコマンドを送る実施形態６０に記載の基地局。
【００９１】
６２．ＣＱＩフィードバック制御部が、全てのＷＴＲＵに対する特別なＷＴＲＵ  ＩＤを使用してコマンドを送る実施形態６０に記載の基地局。
【００９２】
６３．監視部が、通常のＣＱＩフィードバック期間毎にＷＴＲＵからのＣＱＩフィードバックを監視する実施形態４５〜６２のいずれかに記載の基地局。
【００９３】
本発明の特徴および要素が好適な実施形態において特定の組み合わせにて記述されているが、それぞれの特徴または要素は、好適な実施形態の他の特徴および要素なしで単独で、または本発明の他の特徴および要素のあるなしにかかわらず、様々な組み合わせにて使用可能である。
【図１】
0005897801.tif 000003
【図２】
0005897801.tif 000004
【図３】
0005897801.tif 000005
【図４】
0005897801.tif 000006